(57)【要約】  【課題】  吸着力に優れ、被固定物をしっかりと支持可能な固定装置、および、当該固定装置をもって構成される固定構造の提供を目的とする。  【解決手段】  固定装置１は、大別して座部２と吸盤部３、係合部５から構成されている。座部２は、外観が扁平な形状を有し、他部材７の表面に面接触する接触面１０側に開口した凹部１２を有する。吸盤部３は、凹部１２内に収納されている。吸盤部３は、常時は外縁部２１が接触面１０よりも外側に突出しているが、固定装置１を他部材７に吸着させると吸着面２０全体が接触面１０と略面一となる。またこの時、凹部１２は、吸着部３によって開口全体が閉塞され、空気の出入りが阻止される。そのため、固定装置１は、空気の膨張・収縮に伴う吸着力の低下や脱落を起こさない。【選択図】  図１
2005140281.tif 000002
【特許請求の範囲】
【請求項１】
他部材に対して被固定物を固定する固定装置であって、被固定物に固定され、他部材に対して面接触する接触面、並びに、収納部を具備した座部と、他部材に対して吸着する吸盤部とを有し、当該吸盤部は、前記収納部内に存在していることを特徴とする固定装置。
【請求項２】
他部材に対して被固定物を固定する固定装置であって、被固定物に固定され、他部材に対して面接触する接触面、並びに、収納部を具備した座部と、他部材に対して吸着する吸着面を具備した吸盤部とを有し、当該吸盤部は、収納部内に存在し、他部材に吸着することにより吸着面と接触面とが面一になることを特徴とする固定装置。
【請求項３】
他部材に対して被固定物を固定する固定装置であって、被固定物に固定され、他部材に対して面接触する接触面、並びに、収納部を具備した座部と、収納部内に存在し、他部材に対して面接触する吸着面を具備した吸盤部とを有し、他部材側への外力を受けて吸盤部の吸着面が座部の接触面と面一になることを特徴とする固定装置。
【請求項４】
吸盤部は、他部材に吸着することにより前記開口の略全体を閉塞することを特徴とする請求項１乃至３のいずれかに記載の固定装置。
【請求項５】
座部および吸盤部は、一体的に成型されていることを特徴とする請求項１乃至４のいずれかに記載の固定装置。
【請求項６】
座部および吸盤部は、同一の材質で作製されていることを特徴とする請求項１乃至５のいずれかに記載の固定装置。
【請求項７】
座部は、接触面側に開口した収納部と、当該収納部を取り巻く外郭部とを有し、当該外郭部の肉厚は前記収納部の肉厚よりも厚いことを特徴とする請求項１乃至６のいずれかに記載の固定装置。
【請求項８】
座部には、座部の厚み方向への変形を阻止する変形阻止部材が装着されていることを特徴とする請求項１乃至７のいずれかに記載の固定装置。
【請求項９】
変形阻止部材は、座部よりも硬質であることを特徴とする請求項８に記載の固定装置。
【請求項１０】
変形阻止部材は、座部の接触面に対して略平行に装着されていることを特徴とする請求項８または９に記載の固定装置。
【請求項１１】
座部は、接触面に対して対向する装着面を有し、当該装着面には、被固定物に対して係合する係合手段が設けられていることを特徴とする請求項１乃至１０のいずれかに記載の固定装置。
【請求項１２】
座部は、扁平形状であることを特徴とする請求項１乃至１１のいずれかに記載の固定装置。
【請求項１３】
一又は複数の面を有し、他部材に固定される被固定物の固定構造であって、被固定物の一又は複数の面には、請求項１乃至１２のいずれかに記載の固定装置が装着されており、当該固定装置は、座部の接触面に対向する装着面を被固定物側に向けて装着されていることを特徴とする被固定物の固定構造。
【発明の詳細な説明】
【技術分野】
【０００１】
本発明は、他部材に対して被固定物を固定する固定装置、並びに、当該固定装置によって被固定物を他部材に固定する被固定物の固定構造に関する。
【背景技術】
【０００２】
従来より、装置類を設置台に設置するために下記特許文献１のような固定構造を採用したものがある。特許文献１に開示されている固定構造は、装置類の底面に設けられたゴム脚に吸盤を装着した構成である。装置類を設置台上に配置すると、装置類の自重によって吸盤が設置台に押しつけられ、吸着する。そのため、下記特許文献１のような固定構造によれば、吸盤の吸着力によって装置類の位置ズレを防止できる。
【特許文献１】実開昭６４−５０４７４号公報
【発明の開示】
【発明が解決しようとする課題】
【０００３】
上記した特許文献１に開示されているように、吸盤の吸着力を利用した固定構造は、吸盤の吸着力が継続する限り装置類の位置ズレを防止できる。吸盤は、吸着面と設置台等の被吸着面との間をほぼ真空状態とすることで固定されるものであるため、外力の作用により吸着面の一部が持ち上がるなどして吸着面と被吸着面との間の真空状態が解除されると、直ちに吸着力がなくなる。そのため、上記特許文献１のような固定構造を採用した場合、装置類に対して側面方向から押す力が作用して吸着面の一端が持ち上がるなどすると、位置ズレ等を起こしてしまうという問題があった。
【０００４】
また、吸盤は、吸着固定時に吸着面と被吸着面との間に空気がわずかに残存することがある。この場合、外気温の変動や、吸着面と被吸着面との間のわずかな空間と吸盤部の外部との温度差等に起因して吸着面と被吸着面との間で空気が膨張すると、吸着力が低下するばかりか、場合によっては吸盤が吸着面から剥離してしまう。そのため、従来技術で採用されている吸盤やこれを用いた固定構造では、経時的に吸盤の吸着力が低下してしまうという問題があった。
【０００５】
また、上記特許文献１に開示されているような固定構造では、卓上機器を揺さぶる方向に外力が作用すると、その外力が吸盤に作用してしまい、卓上機器がぐらついたり、吸盤が机等から剥がれてしまうという問題があった。
【０００６】
本発明は、吸着力に優れ、被固定物をしっかりと支持可能な固定装置、および、当該固定装置をもって構成される固定構造の提供を目的とした。
【課題を解決するための手段】
【０００７】
上記したように、吸盤は、吸着面と、吸着面が吸着している他部材の表面との間に残存する空気が気温等の変化に伴って膨張・収縮を繰り返すことにより他部材の表面から剥がれ落ちることがある。従って、吸盤の吸着力を長期にわたって維持させるためには、吸盤の吸着面と他部材の表面との間に形成される僅かな隙間に含まれている空気、並びに、吸盤の外部空間にある空気の温度変化が少ないことが望ましい。
【０００８】
かかる知見に基づいて提供される請求項１に記載の発明は、他部材に対して被固定物を固定する固定装置であって、被固定物に固定され、他部材に対して面接触する接触面、並びに、収納部を具備した座部と、他部材に対して吸着する吸盤部とを有し、当該吸盤部は、前記収納部内に存在していることを特徴とする固定装置である。
【０００９】
本発明の固定装置は、座部の収納部内に吸盤部が存在しており、吸盤部を被固定物に吸着させると、座部の接触面と他部材とが面接触して収納部と座部の外部雰囲気とが遮断される。従って、本発明の固定装置では、外部雰囲気の温度変化等が起こっても収納部内の空気の膨張・収縮が殆ど起こらない。
【００１０】
また、本発明の固定装置では、吸盤部が収納部内にあるため、固定装置を他部材に吸着させた際に吸盤部と他部材との間に形成される僅かな隙間は、座部の外部雰囲気から遮断された状態になる。また、本発明の固定装置では、収納部内の空間が、吸盤部の外部雰囲気に相当する。上記したように、収納部は、座部の外部雰囲気から遮断された状態となるため、収納部内の温度は外気温等の変動の影響をさほど受けない。そのため、本発明の固定装置では、上記した隙間にある空気と、吸盤部の外部雰囲気との温度差が極めて小さく、前記隙間内における空気の膨張・収縮が殆ど起こらない。従って、本発明の固定装置は、外気温の変動等があっても他部材から剥がれたり吸着力が低下したりせず、被固定物を他部材に強固に固定できる。
【００１１】
また、本発明の固定装置は、吸盤部が収納部内にあり、吸盤部を他部材に対して吸着させると座部の接触面が他部材に対して面接触する。そのため、本発明の固定装置は、被固定物を揺さぶる方向に外力が作用したとしても、この外力の大部分は座部の接触面に作用し、吸盤部には殆ど作用しない。よって、本発明の固定装置では、被固定物を揺さぶる外力が作用しても吸盤部は他部材の表面から剥がれず、吸着状態を維持する。従って、本発明の固定装置によれば、被固定物のぐらつきやがたつきを最小限に抑制できる。
【００１２】
さらに、本発明の固定装置は、吸盤部が収納部内にあり、座部によって包囲され保護された状態となっている。従って、本発明の固定装置は、外側から吸盤部に直接触れたり外力を作用させたりすることができず、これによる脱落や剥離が起こらない。また、本発明の固定装置では、吸盤部が外部雰囲気に直接晒されないため材質の劣化が起こりにくい。そのため、本発明の固定装置は、吸盤部の吸着力が長年にわたって維持され、被固定物の固定状態を長期にわたって維持できる。
【００１３】
また、同様の課題を解決すべく提供される請求項２に記載の発明は、他部材に対して被固定物を固定する固定装置であって、被固定物に固定され、他部材に対して面接触する接触面、並びに、収納部を具備した座部と、他部材に対して吸着する吸着面を具備した吸盤部とを有し、当該吸盤部は、収納部内に存在し、他部材に吸着することにより吸着面と接触面とが面一になることを特徴とする固定装置である。
【００１４】
本発明の固定装置は、吸盤部を他部材に吸着させると、吸盤部の吸着面と座部の接触面とが面一になる。そのため、本発明の固定装置を他部材に吸着固定させると、吸盤部の周囲が他部材の吸着面によってシールすることができる。従って、本発明の固定装置は、他部材に対して吸着固定させると、吸着面と他部材の表面との間に形成される僅かな隙間が、吸盤部と座部とによって構成される２重構造によって外部雰囲気から隔離された状態となる。また、通常、吸着面と他部材の表面との間に形成される隙間はごく僅かなものであるため、この隙間に含まれる空気もごく微量である。そのため、吸着面と他部材の表面との隙間に残存する空気は、外気温の変動等の影響を受けにくく、膨張・収縮を殆ど起こさない。従って、本発明の固定装置によれば、外気温の変動等の外部雰囲気の影響を受けることなく被固定物を他部材に対してしっかりと固定できる。
【００１５】
また、本発明の固定装置は、吸盤部を吸着固定した際に座部の接触面が他部材の表面に面接触する。そのため、本発明の固定装置では、被固定物を揺さぶる方向に作用する外力の大部分が座部の接触面で支持され、吸盤部には殆ど作用しない。従って、本発明の固定装置は、吸盤部が他部材の表面から剥がれにくく、被固定物のぐらつきやがたつきを確実に抑制できる。
【００１６】
本発明の固定装置は、吸盤部が収納部内に収納され、座部によって保護された状態となっている。そのため、本発明の固定装置は、ひとたび他部材に固定すると、吸盤部に対して外側から直接触れたり外力を作用させたりすることができない。そのため、本発明の固定装置は、吸盤部に対して直接作用する外力これによる脱落や剥離が起こらない。また、本発明の固定装置は、吸着部が座部によって保護され、外部雰囲気に直接晒されない。そのため、本発明の固定装置は、吸着部の経年劣化が極めて少ない。従って、本発明によれば、吸盤部の吸着力が長年にわたって維持され、被固定物の固定状態を長期にわたって維持可能な固定装置を提供できる。
【００１７】
請求項３に記載の発明は、他部材に対して被固定物を固定する固定装置であって、被固定物に固定され、他部材に対して面接触する接触面、並びに、収納部を具備した座部と、収納部内に存在し、他部材に対して面接触する吸着面を具備した吸盤部とを有し、他部材側への外力を受けて吸盤部の吸着面が座部の接触面と面一になることを特徴とする固定装置である。
【００１８】
本発明の固定装置は、他部材側に向かう外力の作用を受けて、吸盤部の吸着面と座部の接触面とが面一となる。そのため、例えば他部材の表面がざらついている場合のように、吸着部の吸着力が十分発揮できない場合や、吸着しない場合であっても、座部の接触面側が面一となり被固定部材をしっかりと支持できる。従って、本発明によれば、他部材の表面状態がいかなる状態であっても被固定部材を確実に支持可能な固定装置を提供できる。
【００１９】
また、吸盤部の吸着力が十分発揮される場合、本発明の固定装置は、上記請求項２の固定装置と同様に吸着面と他部材の表面との間に形成される僅かな隙間が、吸盤部と座部とによって構成される２重構造によって外部雰囲気から隔離された状態となる。さらに、この場合は吸着面と他部材の表面との隙間に含まれる空気もごく微量である。そのため、本発明の固定装置は、吸着面と他部材の表面との隙間に残存する空気の膨張・収縮の影響を殆ど受けず、被固定部材をしっかりと他部材に固定できる。
【００２０】
また、本発明の固定装置は、吸盤部が他部材に対して吸着すると、座部の接触面が他部材の表面に面接触するため、被固定物を揺さぶる方向に作用する外力の大部分は接触面で支持され、吸盤部には殆ど作用しない。従って、本発明の固定装置は、吸盤部が他部材の表面から剥がれにくく、被固定物のぐらつきやがたつきを確実に抑制できる。
【００２１】
本発明の固定装置は、吸盤部が収納部内に存在し、座部によって保護された状態となっている。そのため、本発明の固定装置は、紫外線や太陽光線等の外部雰囲気の影響に伴う経年劣化が殆ど起こらない。
【００２２】
請求項４に記載の発明は、吸盤部が、他部材に吸着することにより前記開口の略全体を閉塞することを特徴とする請求項１乃至３のいずれかに記載の固定装置である。
【００２３】
本発明の固定装置は、他部材に対して吸着固定した時に開口の略全体が吸盤部によって閉塞され、これにより収納部内の空間が外部雰囲気から略完全に遮断された状態となる。即ち、本発明の固定装置は、他部材に対して吸着固定した際に座部の内側にある全ての部位が外部雰囲気から遮断された状態になる。よって、本発明の固定装置では、外気温等の変動が起こっても、収納部の内部空間にある空気や、吸盤部と他部材との間に残存するごく僅かな隙間にある空気の膨張・収縮が殆ど起こらない。従って、本発明によれば、外部雰囲気の変動に伴う他部材からの脱落が殆ど起こらない固定装置を提供できる。
【００２４】
請求項５に記載の発明は、座部および吸盤部が一体的に成型されていることを特徴とする請求項１乃至４のいずれかに記載の固定装置である。
【００２５】
かかる構成によれば、固定装置の構成を簡素化でき、製造コストを最小限に抑制できる。
【００２６】
また、上記請求項１乃至５のいずれかに記載の固定装置は、座部および吸盤部を同一の材質で作製したものであってもよい。（請求項６）
【００２７】
かかる構成によれば、固定装置の製造に要する手間を簡略化でき、製造コストを最小限に抑制できる。
【００２８】
請求項７に記載の発明は、座部が、接触面側に開口した収納部と、当該収納部を取り巻く外郭部とを有し、当該外郭部の肉厚は前記収納部の肉厚よりも厚いことを特徴とする請求項１乃至６のいずれかに記載の固定装置である。
【００２９】
本発明の固定装置は、座部の接触面側に開口した収納部を外郭部が取り巻いた構成となっている。そのため、本発明の固定装置は、収納部の内部空間が他部材に対して吸着固定した時に外郭部によってシールされた状態となり、外部雰囲気から略完全に遮断された状態となる。よって、本発明の固定装置では、外気温の変動等に伴う収納部の内部空間にある空気や、吸盤部と他部材との間に残存するごく僅かな空気の膨張・収縮が殆ど起こらない。従って、本発明によれば、外部雰囲気の変動に伴う他部材からの脱落が殆ど起こらない固定装置を提供できる。
【００３０】
また、本発明の固定装置は、外郭部の肉厚が前記収納部の肉厚よりも厚くなっている。そのため、本発明の固定装置は、外郭部が硬く、被固定物を揺さぶる方向に多少大きな外力が作用しても、座部の厚み方向に殆ど変形しない。従って、本発明の固定装置は、被固定物を揺さぶる方向に外力が作用しても、これによって他部材からめくれ上がったり、他部材から剥ぎ取られず、被固定物を他部材にしっかりと固定することができる。
【００３１】
請求項８に記載の発明は、座部に座部の厚み方向への変形を阻止する変形阻止部材が装着されていることを特徴とする請求項１乃至７のいずれかに記載の固定装置である。
【００３２】
かかる構成によれば、被固定物を揺さぶる方向に外力が作用しても、座部は厚み方向に変形しない。そのため、本発明の固定装置は、他部材に対して固定された状態からめくれ上がったり、他部材から剥ぎ取られることがなく、被固定物を他部材にしっかりと固定することができる。
【００３３】
請求項９に記載の発明は、変形阻止部材が、座部よりも硬質であることを特徴とする請求項８に記載の固定装置である。
【００３４】
かかる構成によれば、被固定物を揺さぶる方向に多少大きな外力が作用しても、座部の厚み方向への変形を阻止できる。従って、本発明によれば、被固定物を他部材にしっかりと固定でき、被固定物のぐらつきやがたつきを最小限に抑制可能な固定装置を提供できる。
【００３５】
請求項１０に記載の発明は、変形阻止部材が、座部の接触面に対して略平行に装着されていることを特徴とする請求項８または９に記載の固定装置である。
【００３６】
かかる構成によれば、被固定物への外力の作用による、座部の厚み方向への変形を確実に阻止できる。従って、本発明の固定装置は、被固定物のぐらつきやがたつきを最小限に抑制できる。
【００３７】
請求項１１に記載の発明は、座部が、接触面に対して対向する装着面を有し、当該装着面には、被固定物に対して係合する係合手段が設けられていることを特徴とする請求項１乃至１０のいずれかに記載の固定装置である。
【００３８】
かかる構成によれば、固定装置を容易かつ確実に被固定物に装着できる。
【００３９】
請求項１２に記載の発明は、座部が、扁平形状であることを特徴とする請求項１乃至１１のいずれかに記載の固定装置である。
【００４０】
本発明の固定装置は、座部が扁平形状であるため、重心が低い位置にある。そのため、本発明の固定装置は、被固定物を揺さぶる方向に外力が作用しても、この外力をしっかりと受け止め、被固定物のがたつきやぐらつきを最小限に抑制できる。
【００４１】
請求項１３に記載の発明は、一又は複数の面を有し、他部材に固定される被固定物の固定構造であって、被固定物の一又は複数の面には、請求項１乃至１２のいずれかに記載の固定装置が装着されており、当該固定装置は、座部の接触面に対向する装着面を被固定物側に向けて装着されていることを特徴とする被固定物の固定構造である。
【００４２】
本発明の被固定物の固定構造は、被固定物の一又は複数の面に上記した固定装置を設けた構成とされている。そのため、本発明によれば、被固定物を他部材にしっかりと固定可能な固定構造を提供できる。
【発明の効果】
【００４３】
本発明によれば、被固定物を他部材に対してしっかりと固定可能な固定装置、並びに、固定構造を提供できる。
【発明を実施するための最良の形態】
【００４４】
続いて、本発明の一実施形態である固定装置および固定構造について図面を参照しながら詳細に説明する。図１（ａ）は、本発明の一実施形態である固定装置を示す正面図であり、同（ｂ），（ｃ）は、同（ａ）に示す固定装置を示す斜視図である。また、図２（ａ）は、図１に示す固定装置を他部材に固定する前の状態を示す断面図であり、同（ｂ）は、図１に示す固定装置を他部材に固定した状態を示す断面図である。図３（ａ）は、図１に示す固定装置の変形例を示す断面図であり、同（ｂ）は同（ａ）のＡ部を拡大した断面図である。
【００４５】
図１において、１は本実施形態の固定装置である。固定装置１は、大別して座部２と吸盤部３、係合部５とを有する。座部２、吸盤部３および係合部５は、いずれも天然ゴム製であり、一体的に成型されている。固定装置１は、シャーカステン等の医療用機械や医療用器具をはじめとする装置や器具等の被固定物６の底面等に係合部５を係合させ、吸盤部３を机や壁面等の他部材７に吸着させて使用される。
【００４６】
座部２は、図１に示すように外観が扁平で略円盤形となっている。座部２は、吸盤部３側に、他部材７に面接触する接触面１０があり、これに対向する位置に、被固定物６に面接触する装着面１１を有する。座部２は、接触面１０側の中央部に、開口形状が略円形で装着面１１側に向かってテーパー状に窪んだ凹部１２（収納部）があり、その周囲が外郭部１３によって包囲されている。外郭部１３の肉厚ｄ１（座部２の厚み方向の長さ）は、凹部１２の肉厚ｄ２や肉厚ｄ３よりも厚い。そのため、座部２の外郭部１３に相当する位置は、凹部１２に相当する位置よりも硬く、座部２の厚み方向への押圧力に対して変形しにくい。
【００４７】
凹部１２の底面に相当する位置には、図２に示すようにドーナツ状の補強板１５が埋め込まれている。補強板１５は、外周部１６が座部２の外郭部１３に埋め込まれており、装着面１１に対して水平な姿勢を取っている。補強板１５は、肉薄になっている凹部１２に相当する位置の厚み方向への変形を最小限に抑制すると共に、装着面１１に作用する応力を外郭部１３側に分散させる効果を有する。そのため、座部２に対して作用する応力は、接触面１０全体に略均等に作用する。
【００４８】
座部２の接触面１０側であって、凹部１２に相当する位置には、椀状の吸盤部３が設けられている。吸盤部３は、机等の他部材７に対して吸着する吸着面２０を有する。吸盤部３は、可撓性を有し、座部２の装着面１１側から固定装置１の厚み方向に作用する力を受けて弾性変形する。
【００４９】
吸盤部３は、常時は吸着面２０の周縁部２１が接触面１０よりも外側に突出しており、外縁部２１と外郭部１３との間に所定の隙間２２が形成されている。その一方で、図２に矢印Ｆで示すように固定装置１の厚み方向に力を作用させると、吸盤部３は弾性変形し、接触面１０と略面一となり、隙間２２を略閉塞する。これにより、隙間２２から凹部１２内への空気の流出入が阻止される。そのため、固定装置１を他部材７に吸着固定すると、凹部１２内に閉じこめられた空気は、外気温等の変動があっても殆ど膨張や収縮を起こさない。
【００５０】
また、固定装置１を他部材７に吸着固定させると、吸盤部３全体が凹部１２内に収納され、外気や凹部１２内の空気と殆ど接触しない。そのため、図２（ｂ）のように、固定装置１の固定時に他部材７の表面との間に残存する僅かな空隙２３に空気が残存していても、この空気は外気温の変動等に伴う膨張を殆ど起こさない。従って、固定装置１は、凹部１２内や吸盤部３と他部材７の表面との間に残存している空気の膨張による剥離が殆ど起こらない。
【００５１】
さらに、固定装置１は、他部材７に吸着固定させると、吸盤部３全体が凹部１２内に収納され、保護される。そのため、固定装置１は、ひとたび他部材７に吸着固定すると、吸盤部３に対して座部２の外側から直接触れたり、外力を作用させたりすることができない状態となり、外力の作用等による脱落が起こりにくい。また、吸盤部３は、外部雰囲気に直接晒されないため、紫外線や太陽光線等の影響を殆ど受けず、劣化の進行が遅い。そのため、固定装置１は、吸盤部３の吸着力が長年にわたって維持される。
【００５２】
係合部５は、図１等に示すように、座部２の装着面１１側に突出した突起状の部分である。係合部５は、先端側がテーパー状の形状となった差込部２５と、軸部２６とから成る。係合部５は、被固定物６の固定面２７に設けられた装着孔２８に被固定物６の外側から挿通される。係合部５は、装着孔２８を乗り越えて嵌入した差込部２５と座部２の装着面１１との間に被固定物６の固定面２７が挟まれ、密着した状態となる。
【００５３】
上記したように、固定装置１は、座部２をはじめとする全体形状が扁平であるため、重心が他部材７近傍にある。そのため、固定装置１は、被固定物６を揺さぶる方向に外力が作用してもこの外力をしっかりと受け止め、被固定物６のがたつきを確実に防止できる。
【００５４】
固定装置１は、座部２、吸盤部３および係合部５がゴムを用いて一体的に成型されている。そのため、固定装置１は、構成が簡略で製造に要する手間が少なく、製造コストを最小限で済む。
【００５５】
固定装置１は、座部２の中心にある凹部１２の周囲を外輪部１３で取り囲んだ構成となっている。そのため、固定装置１は、他部材７に吸着させると、外輪部１３によって凹部１２がシールされた状態となり、凹部１２への空気の出入りがほぼ阻止される。そのため、固定装置１は、他部材７に吸着させると、凹部１２内の空気や、吸盤部３と他部材７との隙間２２に残存するごく僅かな空気の膨張や収縮が殆ど起こらない。従って、固定装置１は、外気温が変動するなどしても他部材７から脱落せず、被固定物６を他部材７に対してしっかりと固定できる。
【００５６】
上記したように、固定装置１は、外輪部１３の肉厚が前記収納部の肉厚よりも厚くなっているため外郭部１３が硬い。これに加えて、固定装置１は、肉厚の薄い凹部１２に相当する位置を補強板１５で補強した構成となっている。被固定物６に対してこれを揺さぶる方向に多少大きな外力が作用しても殆ど変形しない。従って、固定装置１は、被固定物６を揺さぶるような外力が作用しても、これによって吸着部３が他部材７の表面からからめくれ上がったり剥がれたりせず、被固定物６をしっかりと固定することができる。
【００５７】
本実施例の固定装置１は、補強板１５を除く部分が天然ゴム製であるため、免震効果を有する。そのため、固定装置１を被固定部材６に装着した構成とすれば、被固定物６を揺さぶるような外力を他部材７側に効率よく分散することができ、被固定物６のがたつきを最小限に抑制できる。
【００５８】
上記した固定装置１において採用されている吸盤部３は、他部材７の表面が平滑であり、吸着面２０との隙間２２をほぼ真空状態とすることで吸着力が発生するものである。そのため、他部材７の表面がざらついている場合は、吸着力が不十分となったり吸着しない場合がある。しかし、被固定物６の自重等で他部材７側に固定装置１に対して外力が作用すると、吸盤部３の吸着面２０が座部２の接触面１０と略面一になる。そのため、固定装置１は、吸着部３の吸着力が十分発揮できない場合であっても、接触面１０および吸着面２０全体で被固定物６をしっかりと支持できる。
【００５９】
上記した固定装置１は、係合部５を差込部２５および軸部２６を具備した構成であったが、本発明はこれに限定されるものではなく、例えば座部２の装着面１１から突出したネジ軸等のような連結構造を採用できる。また、固定装置１は、係合部５に代わって、被固定物６側からボルトやネジを装着可能なネジ孔を設けた構成とすることも可能である。
【００６０】
固定装置１は、他部材７に対する吸着力が強く、その強度が長期にわたって維持されるため、他部材７への着脱を繰り返すと座部２と吸盤部３との接続部分３０に大きな負荷が作用し、座部２と吸盤部３境界部分にひび割れや亀裂が生じる可能性がある。この場合、座部２と吸盤部３との接続状態が不安定になるばかりか、場合によっては吸着部３の吸着力にも影響を与えるおそれがある。かかる問題に対応すべく、固定装置１は、図３に示すように接続部分３０を座部２と吸盤部３との境界部分を湾曲させるなどしてなだらかに繋いだ構成とすることが望ましい。かかる構成によれば、固定装置１を頻繁に着脱しても接続部分３０に作用する外力が分散され、当該部位のひび割れや亀裂が起こらず、これに起因する吸着不良を防止できる。
【００６１】
また、被固定物６を揺さぶる方向への外力が頻繁に作用する場合は、被固定物６に装着された係合部５の軸部２６と座部２との境界部分にひび割れや亀裂が発生する可能性がある。この場合、被固定物６と固定装置１との接続状態が不安定になるおそれがある。かかる問題に対応すべく、図３のように係合部５の軸部２６と座部２との境界部分をなだらかに繋がるように成型しても良い。かかる構成によれば、接続部分３１におけるひび割れｙ亀裂を最小限に抑制し、被固定物６をしっかりと支持可能な固定装置１を提供できる。
【００６２】
固定装置１は、補強板１５を除く部位が天然ゴム（ＮＲ）製であったが、本発明はこれに限定されるものではなく、例えば天然ゴムと同様に機械的強度が大きく、弾力性に優れたスチレンブタジエンゴム（ＳＢＲ）等を好適に使用できる。
【実施例】
【００６３】
続いて、上記実施形態の固定装置１を用いて構成される固定構造の一実施例を図面を参照しながら詳細に説明する。図４は、本発明の一実施例であるシャーカステン装置を示す正面図である。図５は、図４のＡ−Ａ断面図であり、図６は、図４のＢ−Ｂ断面図である。
【００６４】
図４において、５０は本実施例のシャーカステン装置である。シャーカステン装置５０は、上記実施形態における被固定物６に相当するものであり、図５および図６に示すように、筐体５１の正面側にスクリーン５２を嵌め込んだ枠体５３を装着した構成となっている。筐体５１の内部には、スクリーン５２側に向けて光を照射する照射装置５５等の機器類が内蔵されている。筐体５１の底面５６側には、机や設置台等の他部材７に面接触する脚部材５７が装着されている。
【００６５】
筐体５１は、図６のように断面視が略「コ」字形であり、正面側に開口した箱状の部材である。筐体５１は、天面６３側に幅方向に直線状に延伸した被係合溝５８を有する。また、筐体５１の底面５６側には、正面側の開口端を内側に向けて略「コ」字形折り返して成型された被係合部５９がある。被係合溝５８および被係合部５９は、いずれも後述する枠体５３の端部が係合する部分である。
【００６６】
筐体５１の内部には、照射装置５５と、反射板６０とが内蔵されている。照射装置５５は、筐体５１の正面に装着されたスクリーン５２に対して幅方向に複数（本実施例では８本）の蛍光灯６１と、当該蛍光灯６１のそれぞれに接続され、電力を供給するソケット６２ａ，６２ｂとから構成されている。蛍光灯６１は、筐体５１の天面６３側に固定された
ソケット６２ａと、底面５６側に固定されたソケット６２ｂとの間に挟持されている。ソケット６２ａ，６２ｂは、いずれも後述する電源スイッチ７８に電気的に接続されている。
【００６７】
反射板６０は、図５および図６に示すように、スクリーン５２の幅方向両端部にある蛍光灯６１ｓに隣接する位置にある側部反射板６５，６５と、筐体５１の天面６３側にある上部反射板６６と、底面５６側にある下部反射板６７とから構成されている。反射板６０は、いずれも蛍光灯６１の放つ光を筐体５１の正面側に反射するものであり、スクリーン５２全体をくまなく照射可能な角度に調整されている。
【００６８】
枠体５３は、天面６３側にある天面係合部７５を筐体５１の被係合溝５８に係合させると共に、底面５６側にある底面係合部７６を筐体５１の被係合部５９に嵌め込むことにより筐体５１の正面側に装着されている。枠体５３は、例えばアクリル板のような透光性を有する素材で作製された板状のスクリーン５２によって筐体５１の正面を閉塞した構造となっている。スクリーン５２は、筐体５１に内蔵された照射装置５５の発する光を受けて発光する。枠体５３は、スクリーン５２上にレントゲンフィルム等の被照射物（図示せず）を挟持する挟持部７７を有する。また、枠体５３の底面５６側には、照射装置５５をオンオフするための電源スイッチ７８が設けられている。
【００６９】
筐体５１は、厚み方向の長さ（奥行きｄ）が高さｈや幅ｗよりも極端に短い。また、シャーカステン装置５０は、正面部分の面積に比べて底面５６の面積が極端に小さい。そのため、シャーカステン装置５０は、筐体５１の底面５６を下方に向けた状態における設置状態を安定化すべく底面５６側に筐体５１の奥行き方向に伸びる脚部材５７を装着した構成とされている。
【００７０】
脚部材５７は、机や壁面等の他部材７側に向く固定面７０を有し、図４等に示すように、角度θを任意に調整可能なように筐体５１を側面７１，７１側から支持するものである。固定面７０は、上記実施形態における固定面２７に相当する面であり、脚部材５７の長手方向の両端部に装着孔７２，７２を有する。固定面７０には、各装着孔７２に差込部２５を差し込むことにより固定装置１が装着されている。固定装置１は、装着面１１が脚部材５７の固定面７０に面接触し、接触面１０が他部材７の表面側に向いた状態で装着されている。
【００７１】
シャーカステン装置５０を机等の被固定物６上に配置すると、脚部材５７の固定面７０に装着された固定装置１の接触面１０が被固定物６の表面に接触する。脚部材５７，５７に装着された各固定装置１には、シャーカステン装置５０の重量が略均等に作用する。固定装置１は、被固定物６側に押しつけられ、図２（ｂ）のように吸着面２０が被固定物６の表面に吸着する。この時、吸着面２０が座部２の接触面１０と略面一となると共に、吸着面２０の外縁部２１が吸盤部３と座部２の外縁部２１との隙間２２を閉塞する。また、吸盤部３は、凹部１２の内部に収納される。吸盤部３と被固定物６との間に形成されるごく僅かな空隙２３および隙間２２は、固定装置１の外側の領域から遮断される。従って、本実施例に示すシャーカステン装置５０の固定構造では、空隙２３や隙間２２内に閉じこめられた空気は、外気温等が変動しても殆ど膨張せず、固定装置１の剥離が殆ど起こらない。
【００７２】
また、上記したように、固定装置１は、吸盤部３が凹部１２内に収納された構造となっている。さらに、固定装置１の座部２は硬質の補強板１５によって補強されている。そのため、固定装置１は、被固定物６から剥離する方向への外力（図２中矢印Ｐ方向）を受けても殆ど変形しない。従って、固定装置１は、座部２の一端側に被固定物６から剥離する方向への外力が作用しても、被固定物６から剥離しない。そのため、シャーカステン装置５５は、例えばフィルムを装着する際に手などが当たってシャーカステン装置５５の奥行き方向に多少大きな外力が作用しても、脚部材５７が被固定物６から離れない。
【００７３】
シャーカステン装置５０は、他部材７の表面が平滑であれば吸盤部３の吸着力により他部材７にしっかりと固定できる。これに加えて、固定装置１は、万一他部材７の表面状態がざらついていたり、凹凸を有するなどして吸盤部３をしっかりと吸着できない場合であっても、吸盤部３がシャーカステン装置５０の自重で他部材７側に押しつけられて座部２の接触面１０と略面一になる。そのため、シャーカステン装置５０は、吸盤部３の吸着力が期待できない場合場所に設置されても、接触面１０および吸着面２０全体で被固定物６をしっかりと支持できる。
【００７４】
上記実施例のシャーカステン装置５５は、脚部材５７の固定面７０に固定装置１を装着した構成であったが、本発明はこれに限定されるものではなく、例えば図７（ａ）のように筐体５１の底面５６に固定装置１を装着すると共に、筐体５１の背面６４の任意の位置にも固定装置１を装着し、この固定装置１を机等の被固定物６に隣接する壁面に吸着させた構成とすることが可能である。かかる構成によれば、シャーカステン装置５５を脚部材５７の固定面７０および筐体５１の背面６４の２面で固定する強固な固定構造を形成できる。
【００７５】
また、上記したように底面５６側と背面６４側の２面に固定装置１を装着してシャーカステン装置５５を固定する場合は、固定強度が高いため、例えば図７（ｂ）のように上記した脚部材５７に代わってこれよりも奥行き方向の長さが短い脚部材８０を採用してもよい。かかる構成によれば、シャーカステン装置５５の設置領域を大幅に縮小できる。
【００７６】
また、上記実施形態では、シャーカステン装置５５のスクリーン５２を任意の角度に設定すべく筐体５１を脚部材５７に装着した例を例示したが、本発明はこれに限定されるものではなく、例えば図７（ｃ）のように筐体５１の底面５６に直接固定装置１を装着した構成としてもよい。かかる構成によれば、シャーカステン装置５５の設置領域を大幅に縮小でき、製造コストの低減や製造工程の簡略化を行える。
【００７７】
上記実施例で例示した固定構造は、机等の他部材７に対する吸着力が強く、耐震性やクッション強度が高い。そのため、本発明の固定構造は、上記実施例のシャーカステン装置５５のような医療用機械・器具に加えて、例えばオートクレーブ等に代表される医療機器や、台所用品や事務用品等に代表される日用品、テレビ、ビデオ、オーディオ機器等の電気機器類をはじめとして他のあらゆる装置・機器類の固定にも好適に使用できる。
【００７８】
また、本発明の固定装置、並びに、固定構造は、吸着力に優れ、免震効果も有するため精密機器等の振動を嫌う装置・機器類や電気ストーブのように転倒するおそれがあるものの固定に好適に使用できる。上記した固定構造は、卓上に設置する装置・機器類の固定に好適に使用できるが、壁面等のように水平面に対して所定の傾斜を有する壁面への装置・機器類の固定にも使用できる。
【図面の簡単な説明】
【００７９】
【図１】（ａ）は、本発明の一実施形態である固定装置を示す正面図であり、同（ｂ），（ｃ）は、同（ａ）に示す固定装置を示す斜視図である。
【図２】（ａ）は、図１に示す固定装置を他部材に固定する前の状態を示す断面図であり、同（ｂ）は、図１に示す固定装置を他部材に固定した状態を示す断面図である。
【図３】（ａ）は、図１に示す固定装置の変形例を示す断面図であり、同（ｂ）は、同（ａ）の要部拡大図である。
【図４】本発明の一実施例であるシャーカステン装置を示す正面図である。
【図５】図３のＡ−Ａ断面図である。
【図６】図３のＢ−Ｂ断面図である。
【図７】図３に示すシャーカステン装置の変形例を示す斜視図である。
【符号の説明】
【００８０】
１  固定装置
２  座部
３  吸盤部
５  係合部
６  被固定物
７  他部材
１０  接触面
１１  装着面
１２  凹部（収納部）
１３  外輪部（外郭部）
１５  補強板
１６  外周部
２０  吸着面
２１  外縁部
２２  隙間
２３  空隙
５０  シャーカステン装置（被固定物）
５７  脚部材
【図１】
2005140281.tif 000003
【図２】
2005140281.tif 000004
【図３】
2005140281.tif 000005
【図４】
2005140281.tif 000006
【図５】
2005140281.tif 000007
【図６】
2005140281.tif 000008
【図７】
2005140281.tif 000009